【手続補正書】
【提出日】平成16年4月13日(2004.4.13)
【手続補正１】
【補正対象書類名】明細書
【補正対象項目名】全文
【補正方法】変更
【補正の内容】
【発明の名称】水の自動販売機におけるミネラル含有水の製造方法
【特許請求の範囲】
【請求項１】ミネラル成分注入ポンプ（４）の脈流数、又は回転数をその都度変化させ、純水装置（１）により造水された純水（Ｗ）中へミネラル成分（Ｍ）の添加量を、連続的、又は半連続的に注入する事で、顧客の好みに合わせたミネラル含有水（ＭＷ）を製造する事を特徴とする水の自動販売機におけるミネラル含有水の製造方法。
【請求項２】ミネラル成分注入ポンプ（４）の脈流数、又は回転数をその都度変化させ、純水装置（１）により造水された純水（Ｗ）中へミネラル成分（Ｍ）の添加量を、希望濃度選択器（６）により、連続的、又は半連続的に純水から硬度の異なるミネラル水、又は希望の擬似天然水をその都度選択し、好みの硬度のミネラル含有水（ＭＷ）を製造する事を特徴とする水の自動販売機におけるミネラル含有水の製造方法。
【発明の詳細な説明】
【０００１】
【発明の属する技術分野】
この発明は、水道水や地下水等を原料水とし、浄化装置により濾過された水と希望分量のミネラル成分を選択し、予めセットした容器に注水する水の自動販売機におけるミネラル含有水の製造方法に関するものである。
【０００２】
【従来の技術】
従来の水の自動販売機は、硬貨やカードを用いて、販売機固有の１種類のみの水を一定量購入出来る様に成っている。
【０００３】
従って、従来の水の自動販売機は、顧客の好みが多様化しているにも関わらず、１つの注水口から与えられた固有の１種類の水しか購入出来ない等の問題が有った。（例えば特許文献１参照。）
【特許文献１】特開２０００−１８２１４６
【０００４】
【発明が解決しようとする課題】
そこで、この発明は上記課題を達成する為に、純水からミネラル成分が多量に含まれた硬度の高い水を連続的、又は半連続的に濃度をその都度変化させて顧客の好みに合わせたミネラル含有水を製造する、水の自動販売機におけるミネラル含有水の製造方法を開発・提供する事にある。
【０００５】
【課題を解決するための手段】
上記課題を達成する為に、この発明は、ミネラル注水ポンプの脈流数又は回転数を変化させる事により、純水装置により造水された純水中へミネラル成分の添加量を連続的、又は半連続的にその都度注入する事で、顧客の好みに合わせたミネラル含有水を製造するものである。
【０００６】
又、希望濃度選択器により、連続的、又は半連続的に純水から硬度の異なるミネラル水、又は希望の擬似天然水をその都度選択し、好みの硬度のミネラル含有水を製造するものである。
【０００７】
【発明の実施の形態】
そこで、この発明の一実施例を図１に基づいて詳述すると、部品構成は主に純水装置（１）と、純水貯水タンク（２）と、送水ポンプ（３）と、ミネラル注水ポンプ（４）と、ミネラルタンク（５）と、希望濃度選択器（６）とで構成され、ミネラル成分注入ポンプ（４）の脈流数又は回転数をその都度変化させ、純水装置（１）により造水された純水中へミネラル成分（Ｍ）の添加量を連続的、又は半連続的に注入する事で、顧客の好みに合わせたミネラル含有水（ＭＷ）を製造する。
【０００８】
又、希望濃度選択器（６）により、連続的、又は半連続的に純水から硬度の異なるミネラル水、又は希望の擬似天然水をその都度選択し、好みの硬度のミネラル含有水（ＭＷ）を製造する。
【０００９】
次に、この発明の操作手順及び操作方法について説明すると、まず純水装置（１）により造水された純水（Ｗ）を、純水貯水タンク（２）に貯水する。そして、希望濃度選択器（６）により希望のミネラル濃度を選択すると、送水ポンプ（３）が自動的に起動すると同時に、信号入力が可能なダイヤフラム式のミネラル注入ポンプ（４）が起動され、純水（Ｗ）にミネラルタンク（５）中のミネラル（Ｍ）を注入する。そして、希望濃度のミネラル（Ｍ）を注水されたミネラル含有水（ＭＷ）は、セットされた容器（７）に注入される。ミネラル成分（Ｍ）の濃度は、希望濃度選択器（６）の信号によりミネラル注入ポンプ（４）の脈流数、又は回転数をその都度変更する事で調整可能にした。
【００１０】
図２の自動販売機（ＶＭ）において、カードリーダー、又はコイン挿入口（１１）に、プリぺードカード、又は硬貨を挿入し、前面に開閉可能な扉を設けた容器セットボックス（１０）に容器をセットし、希望濃度選択器（６）により希望の濃度が選択されると、希望のミネラル濃度、及び水量が選択され、容器（７）にミネラル含有水（ＭＷ）が注入される。
【００１１】
又、純水装置（１）は、一例としてセディメントフィルター（赤錆や汚濁を捕捉するフィルター）、プレカーボンフィルター（原水の残留塩素を除去するフィルター）、高圧ポンプ（吐出側１ＭＰａ）で、逆浸透膜（一価のイオンレベルまで除去するフィルター）から構成される逆浸透膜装置を採用する。逆浸透膜は、全量濾過ではなく、クロスフロー濾過である為、連続的に透過水と同時に濃縮水が発生する。そして、逆浸透膜の透過水の流量と濃縮水の流量比は決まっていて、透過水に比べて濃縮水を多く捨てなければならない。又、原水として上水道を使用している場合は、非常に不経済となるので、見かけの逆浸透膜通水流量を増やす為、一度膜を通過した濃縮水を、高圧ポンプの吸い込み側へ循環させる方法を取る。逆浸透膜装置の高圧ポンプの制御は、純水貯水タンク（２）の側面の上部にフロートスィッチを上下２ヶ所設ける事により行う。更に、具体的に示すと、上のフロートスィッチに水が達すると高圧ポンプが停止し、又、下のフロートスィッチに水が達すると高圧ポンプが起動する。高圧ポンプ起動時は、濃縮水の配管に設けた電磁弁を全開し、膜面の洗浄を行う。原水の供給が何らかの原因でストップされた場合等、高圧ポンプの空運転を防止する為、高圧ポンプの前段に低圧力スィッチを設ける。
【００１２】
又、純水装置は、イオン交換樹脂を使用したものが一般的に知られている。純水貯水タンク（２）の材質はステンレス３０４製とし、送水ポンプ（３）は、顧客の希望の水量を選択後、起動される。そして、吐出側に設けられた流量計により計量され、所定の水が注入され停止する。その時、注入ノズル（９）直前に設けられた電磁弁は、送水ポンプ（３）が起動された時に開き、又、送水ポンプ（３）が停止した時に閉じる。更に、送水ポンプ（３）の空転防止の為、純水貯水タンク（２）の下部にフロートスィッチを設け、タンク内の水が所定量以下に達した時には、送水ポンプが起動しない仕組みに成っている。又、ミネラル注水ポンプ（４）と水配管（８）との接続部の下流側には、ポストカーボンフィルター（純水の僅かな臭気を除去するフィルター）及び除菌フィルター（中空系タイプが知られていて０．２μｍの孔を持つものが良く使用される）を設ける。その他の方法として除菌は、紫外線殺菌装置が知られていて、除菌フィルターと紫外線装置を併用しても良い。
【００１３】
又、ミネラル注水ポンプ（４）は、一例として脈流型（パルス型）を用いる。希望濃度選択器（６）からの電気信号により直接注入量を制御出来るタイプとする。他の方法として、ミネラル注入ポンプ（４）は、ポンプの回転数を変化させても良い。又、希望濃度選択器（６）はタッチパネルとし、顧客の好みのミネラル濃度と希望の水量が選択出来る。顧客の好みのミネラル濃度は、純水から希望硬度のミネラル水を選択する方法と、希望の擬似天然水を選択する方法を設ける。又、希望の水量は、１リットル単位で購入出来る様にする。他の方法として、タッチパネルではなく、自動販売機（ＶＭ）本体の扉部に選択ボタンを設けても良い。
【００１４】
又、ミネラルタンク（５）内部には、カルシウム、マグネシウム、カリウム、ナトリウム等のミネラル成分（Ｍ）（鉱物性栄養素）の溶液を貯水する。この溶液は、基本的には人間の体液を参考にした組成比率とする。
【００１５】
例えば、純水に硬度５０ｐｐｍのミネラル成分（Ｍ）を添加したい場合、送水ポンプ（３）の流量が８リットル毎分、ミネラルタンク（５）内の溶液が硬度２０，０００ｐｐｍ、ミネラル注入ポンプ（４）の吐出量が１パルス当り０．２ミリリットルである時、希望濃度選択器（６）からミネラル注入ポンプ（４）へ入力されるパルス数は、１分間に１００パルスとなる。
【００１６】
【発明の効果】
ミネラル成分注入ポンプ（４）の脈流数又は回転数をその都度変化させ、純水装置（１）により造水された純水中へミネラル成分の添加量を連続的、又は半連続的に注入する事で、顧客の好みに合わせた、安全で美味しいミネラル含有水を安価に製造する事が出来る等、極めて有益なる効果を奏するものである。
【図面の簡単な説明】
【図１】この発明の一実施例を示し、フロー図である。
【図２】この発明の一実施例を示し、自動販売機の正面図である。
【符号の説明】
１  純水装置
２  純水貯蓄タンク
３  送水ポンプ
４  ミネラル注水ポンプ
５  ミネラルタンク
６  希望濃度選択器
７  容器
８  水配管
９  注水ノズル
１０  容器セットボックス
１１  カードリーダー又はコイン挿入口
ＭＶ  自動販売機
ＭＷ  好みの硬度のミネラル含有水
Ｍ    ミネラル成分
Ｗ    純水


【手続補正２】
【補正対象書類名】図面
【補正対象項目名】全図
【補正方法】変更
【補正の内容】
【図１】
2003337978.tif 000001
【図２】
2003337978.tif 000002